(57)【要約】    【課題】地上デジタルテレビジョン放送を周波数変換して広帯域の伝送に対応していないＣＡＴＶに適合した小型で安価なブロックコンバータ装置を提供する。    【解決手段】ブロックコンバータ回路部１６−１は、地上デジタルテレビジョン放送の１チャンネル又は隣接する複数チャンネルの帯域をもつ高周波信号を取り出す第１バンドバスフィルタ１８−１と、第１バンドパスフィルタ１８−１から出力された高周波信号をＶＨＦ帯に変換する周波数変換器２０−１と、周波数変換器２０−１の出力から変換先の周波数帯域の高周波信号を取り出す第２バンドパスフィルタ２２−１とで構成される。複数のブロックコンバータ回路部１６−１，１６−２の入力には、受信した地上デジタルテレビジョン放送の高周波信号を入力する入力端子１２が分岐接続され、複数のブロックコンバータ回路部１６−１，１６−１の各出力は合成されてデジタル出力端子１４に接続される。    【選択図】      図１
2006352237.tif 000002
【特許請求の範囲】
【請求項１】
地上デジタルテレビジョン放送の１チャンネル又は隣接する複数チャンネルを含む周波数帯域の高周波信号を取り出す第１フィルタと、
前記第１フィルタから出力された高周波信号をＶＨＦ帯等に変換する周波数変換器と、
前記周波数変換器の出力から前記変換先の周波数帯域の高周波信号を取り出す第２フィルタと、
を備えたブロックコンバータ回路部を複数有し、
前記複数のブロックコンバータ回路部の各入力に、受信した地上デジタルテレビジョン放送の高周波信号を入力するデジタル入力端子を分配接続すると共に、前記複数のブロックコンバータ回路部の各出力を合成してデジタル出力端子に接続したことを特徴とするブロックコンバータ装置。
【請求項２】
請求項１記載のブロックコンバータ装置に於いて、前記複数のブロックコンバータ回路部毎に、出力信号レベルを一定に制御する利得制御部を設けたことを特徴とするブロックコンバータ装置。
【請求項３】
請求項１記載のブロックコンバータ装置に於いて、前記複数のブロックコンバータ回路部の各入力に対する分配部の前段に、前記複数のブロックコンバータ回路部の合成出力信号レベルを一定に制御する利得制御部を設けたことを特徴とするブロックコンバータ装置。
【請求項４】
請求項１記載のブロックコンバータ装置に於いて、前記出力端子及び前記入力端子と前記複数のコンバータ回路部の入力分配部及び出力合成部の間に、高周波信号を通し商用交流電源信号をカットする電源カットフィルタを接続すると共に、前記出力端子と前記入力端子の間を商用交流電源信号を通し高周波信号をカットする高周波カットフィルタを介してバイパス接続し、前記バイパス接続の途中に、前記出力端子から供給された商用交流電源電圧を電圧変換する電圧変換部を設けたことを特徴とするブロックコンバータ装置。
【請求項５】
請求項４記載のブロックコンバータ装置に於いて、前記電圧変換部は、入力電圧ＡＣ３０Ｖはそのまま出力し、ＡＣ６０ＶはＡＣ３０Ｖに変換して出力することを特徴とするブロックコンバータ装置。
【請求項６】
請求項１記載のブロックコンバータ装置に於いて、更に、受信したアナログテレビジョン放送の高周波信号を入力するアナログ入力端子を設け、前記アナログ入力端子と前記出力端子との間に、商用交流電源信号をカットして高周波信号を通す電源カットフィルタと、高周波信号をカットして商用交流信号を通す高周波カットフィルタを並列接続したことを特徴とするブロックコンバータ装置。
【請求項７】
請求項１記載のブロックコンバータ装置に於いて、前記ブロックコンバータ回路はそれぞれユニット化されており、前記ブロックコンバータ装置には、前記ブロックコンバータ回路を組み込み可能なよう複数の接続部を用意し、周波数変換する帯域に対応した前記ブロックコンバータ回路を必要数選択して前記接続部へ接続したことを特徴とするブロックコンバータ装置。
【発明の詳細な説明】
【技術分野】
【０００１】
本発明は、受信した地上デジタルテレビジョン放送信号をＶＨＦ帯等の別の周波数帯域に変換して伝送する共同受信設備のブロックコンバータに関する。
【背景技術】
【０００２】
従来、地上デジタルテレビジョン放送では、各チャンネルはＯＦＤＭ（直交周波数分割多重）された信号であり、従来のアナログテレビジョン放送とは異なり隣接チャンネルで放送される場合が多い。例えば東京地域にあっては、ＵＨＦ２０〜２８チャンネルの９チャンネルが割り当てられており、また大阪地域にあっては、ＵＨＦ１３〜１８チャンネルの６チャンネルとＵＨＦ２４チャンネルの１チャンネルが割り当てられている。
【０００３】
一方、小規模なＣＡＴＶではＵＨＦ帯の伝送に対応していない場合があり、コスト的な面からＵＨＦ帯で放送される地上デジタル放送信号を、ＶＨＦ帯や、１０８〜１７０ＭＨｚのミッドバンド（ＭＩＤ帯）、またはＶＨＦ帯とＵＨＦ帯の隙間のスーパーハイバンド（ＳＨＢ）に周波数変換して伝送する必要がある。
【０００４】
従来、地上デジタル放送信号をＶＨＦ帯に周波数変換する装置としては、チャネル単位に周波数変換を行うチャンネルコンバータが知られており、図８のように、例えばＵＨＦ２０〜２８チャネルの周波数変換については、９台のチャンネルコンバータ１００−１〜１００−９を使用し、ＶＨＦ帯、ミッドバンド（ＭＩＤ帯）、またはスーパーハイバンド（ＳＨＢ）に周波数変換して伝送する。
【特許文献１】特開２００３−３０９７３９号公報
【発明の開示】
【発明が解決しようとする課題】
【０００５】
しかながら、地上デジタルテレビジョン放送信号をチャンネル毎に周波数変換する場合には、変換するチャンネル数に応じた数のコンバータが必要であり、多数のコンバータ筐体を１つにまとめて配置することから装置が大型化し、コストが高く、消費電力が非常に大きいという問題がある。
【０００６】
また、各地域によってチャンネル割当てが異なることから、実際の製品としては、１つの筐体に１チャンネル分の周波数変換ができるコンバータを収納し、チャンネル数分の筐体を用意して、全てのチャンネルの周波数変換しているものもあり、設置スペースが非常に大きくなり、コストが高く、消費電力が非常に大きくなっていた。
【０００７】
ここで、従来のアナログテレビジョン放送信号を周波数変換するチャンネルコンバータの場合には、アナログテレビジョン放送が１つおきのチャンネルで放送しているため、各チャンネルを取り出すバンドパスフィルタがそれほど急峻な周波数特性を必要としないので簡単に構成でき、コストも安価である。
【０００８】
しかしながら、隣接チャンネルで伝送することが多い地上デジタルテレビジョン放送について各チャンネルの信号を取り出すためには高周波で急峻な周波数特性をもつバンドパスフィルタ（ＳＡＷフィルタなど）が必要であり、このようなバンドパスフィルタは急峻な周波数特性を必要としないＬＣフィルタで構成できるバンドパスフィルタに比べ、サイズ、コストが極端に大きくなるという問題がある。
【０００９】
更に、このようなバンドパスフィルタは、フィルタにより必要な信号まで大幅に減衰させてしまうので、これを補完するアンプが多く必要で、そのため消費電力が非常に大きくなる問題がある。
【００１０】
本発明は、ＵＨＦ帯を含む広い帯域の伝送に対応していないＣＡＴＶに適合した小型、安価で消費電力の少ないブロックコンバータ装置を提供することを目的とする。
【課題を解決するための手段】
【００１１】
この目的を達成するため本発明は次のように構成する。本発明は、ブロックコンバータ装置であって、地上デジタルテレビジョン放送の１チャンネル又は隣接する複数チャンネルを含む帯域の高周波信号を取り出す第１フィルタと、第１フィルタから出力された高周波信号をＶＨＦ帯等に変換する周波数変換器と、周波数変換器の出力から変換先の周波数帯域の高周波信号を取り出す第２フィルタとを備えたブロックコンバータ回路部を複数有し、複数のブロックコンバータ回路部の各入力に、受信した地上デジタルテレビジョン放送の高周波信号を入力するデジタル入力端子を分配接続すると共に、複数のブロックコンバータ回路部の各出力を合成してデジタル出力端子に接続したことを特徴とする。
【００１２】
また本発明は、複数のブロックコンバータ回路部毎に、出力信号レベルを一定に制御する利得制御部を設ける。本発明の別の形態にあっては、複数のブロックコンバータ回路部に対する入力分配部の前段に、複数のブロックコンバータ回路部の合成出力信号レベルを一定に制御する利得制御部を設けても良い。
【００１３】
本発明のブロックコンバータ装置は、出力端子及び入力端子と複数のコンバータ回路部の入力分配部及び出力合成部の間に高周波信号を通し商用交流電源信号をカットする電源カットフィルタを接続すると共に、出力端子と前記入力端子の間を商用交流電源信号を通し高周波信号をカットする高周波カットフィルタを介してバイパス接続し、バイバス接続の途中に、出力端子から供給された商用交流電源電圧を電圧変換する電圧変換部を設ける。
【００１４】
ここで、電圧変換部は、例えば入力電圧ＡＣ３０Ｖはそのまま出力し、ＡＣ６０ＶはＡＣ３０Ｖに変換して出力する。
【００１５】
本発明のブロックコンバータ装置は、更に、受信したアナログテレビジョン放送の高周波信号を入力するアナログ入力端子を設け、アナログ入力端子と出力端子との間に、商用交流電源信号をカットして高周波信号を通す電源カットフィルタと、高周波信号をカットして商用交流信号を通す高周波カットフィルタを並列接続する。
【００１６】
本発明のブロックコンバータ装置は、ブロックコンバータ回路はそれぞれユニット化されており、ブロックコンバータ装置には、ブロックコンバータ回路を組み込み可能なよう複数の接続部を用意し、周波数変換する帯域に対応したブロックコンバータ回路を必要数選択して前記接続部へ接続する。
【発明の効果】
【００１７】
本発明によれば、地上デジタルテレビジョン放送の隣接する複数チャンネルの高周波信号を含む帯域を１つの周波数ブロック（周波数帯域）として例えばＶＨＦ帯の高周波信号に周波数変換しているため、隣り合う周波数ブロックとの間には十分な空きチャネルがあり、このため１つの周波数ブロックを取り出すフィルタはそれほど急峻な周波数特性を必要とせず、ＬＣフィルタなどの簡単な構成のフィルタを使用することができ、従来のチャンネルコンバータを組合わせた場合に比べ、コストを大幅に低減でき、消費電力も少なくでき、ＵＨＦ帯を含む広い伝送に対応していない小規模なＣＡＴＶに使用することで、簡単且つ容易に地上波デジタルテレビジョン放送の配信を実現することができる。
【００１８】
また地域毎に地上波デジタルテレビジョン放送のチャンネル割当ては様々であり、複数の周波数ブロックの中には１チャンネルしか含まれない周波数ブロックが存在したとしても、そのブロックで使用するブロックコンバータ回路部のフィルタに１チャンネルの高周波信号を取り出す帯域設定をしておくことで、簡単に対応できる。
【００１９】
またブロックコンバータ回路部の数は受信した地上波デジタルテレビジョン信号のチャネル割当てで決まる周波数ブロックの数に応じて設ければ良く、地上デジタルテレビジョン放送を多方向受信するような地域であっても、簡単に対応することができる。
【００２０】
また装置に組み込まれるブロックコンバータ回路部は、フィルタが変換する周波数ブロックに応じた帯域のものを使用する点で相違するが、他の回路構成は共通化することができ、フィルタに急峻な周波数特性を必要としないことと併せて装置のコストを大きく低減できる。
【００２１】
また必要に応じて自動利得制御を設けるが、この自動利得制御は周波数ブロック単位または装置全体として行うことで、簡単且つ容易に実現できる。
【００２２】
また出力端子から装置内を通って入力端子側に接続された機器に対し商用交流電源を供給できるようにしているが、この商用交流電源を供給するバイパス経路に電圧変換部を設けたことで、例えば入力端子側の機器がＡＣ３０Ｖで動作する機器であり、出力端子側からの供給電圧がＡＣ６０Ｖであったような場合にも、内部的にＡＣ６０ＶをＡＣ３０Ｖに電圧変換して入力端子側の接続機器に商用交流電源を供給することができ、本発明のブロックコンバータ装置を使用する小規模なＣＡＴＶのアンテナ設備が商用交流電源の供給が受けられない山頂などに設置されているような場合、アンテナ付近に設置されたアンプ等に対し本発明のブロックコンバータ装置を経由して直接電源が供給でき、外付け装置として電源設備を準備する必要がないことから、設備工事が簡単にできる。
【００２３】
更に、受信されたＶＨＦ帯のアナログテレビジョン放送信号を混合して出力するためのアナログ入力端子を設けた場合、出力端子とアナログ入力端子との間に、高周波カットフィルタと交流電源カットフィルタを並列接続しておくことで、装置外部に特殊な分配器を設けることなく、アナログ機器の出力をアナログ入力端子に接続するだけで、受信されたアナログテレビジョン信号の混合出力とアナログ機器側に対する交流電源の供給ができ、ＶＨＦ帯の伝送に対応したＣＡＴＶに対する本発明のブロックコンバータ装置の設置が容易且つ簡単にできる。
【００２４】
また、ブロックコンバータ回路は１つずつユニット化されており、装置には予め複数のブロックコンバータ回路が組み込めるように接続部を用意しておいて、地域に合せて１チャンネル用や複数チャンネル用のブロックコンバータ回路を選択して装置に組み込むことで、容易に地域に合ったブロックコンバータ装置を製作することができる。
【発明を実施するための最良の形態】
【００２５】
図１は本発明によるブロックコンバータ装置の実施形態を示した回路ブロック図である。図１において、本発明のブロックコンバータ装置１０は入力端子１２と出力端子１４を有し、ＵＨＦアンテナで受信した地上デジタルテレビジョン放送の高周波信号を入力した後に、例えばＶＨＦ帯の高周波信号に変換して、出力端子１４から出力する。
【００２６】
この実施形態において、ブロックコンバータ装置１０内には２つのブロックコンバータ回路部１６−１，１６−２が設けられており、それぞれ１チャンネル分又は隣接する複数チャンネル分の周波数変換を行うように回路が設定されている。ブロックコンバータ回路部１６−１は、第１バンドパスフィルタ１８−１、広帯域アンプ１９−１、周波数変換器２０−１、第２バンドパスフィルタ２２−１、広帯域アンプ２４−１、発振器２６−１、ＰＬＬ回路２８−１、分周比設定スイッチ３０−１で構成される。
【００２７】
第１バンドパスフィルタ１８−１は、地上デジタルテレビジョン放送の１チャンネルまたは隣接する複数チャンネルを含む周波数ブロック（周波数帯域）の高周波信号を取り出し、広帯域アンプ１９−１で増幅した後に周波数変換器２０−１に入力する。周波数変換器２０−１は発振器２６−１からの発振周波数を用いて、ＵＨＦ帯の周波数ブロックの高周波信号を例えばＶＨＦ帯の高周波信号に周波数変換する。
【００２８】
第２バンドパスフィルタ２２−１は、周波数変換器２０−１の出力から変換先となるＶＨＦ帯の周波数帯域の高周波信号を取り出す。広帯域アンプ２４−１は周波数変換されたＶＨＦ帯の高周波信号を増幅して出力する。
【００２９】
このようなブロックコンバータ回路部１６−１の各回路部の機能はブロックコンバータ回路部１６−２についても同様であり、第１バンドパスフィルタ１８−２及び第２バンドパスフィルタ２２−２における周波数帯域が、別の地上デジタルテレビジョン放送のチャンネルを含むブロック周波数に適合した周波数帯域に設定されている点が相違する。
【００３０】
例えば大阪地区の地上デジタルテレビジョン放送の受信を例にとると、ＵＨＦ１３〜１８チャンネルの周波数ブロックとＵＨＦ２４チャンネルの周波数ブロックに分離することができ、ブロックコンバータ回路部１６−１はＵＨＦ１３〜１８チャンネルの周波数ブロックにつき、その６チャンネル分をＶＨＦ帯の未使用帯域の周波数ブロックに変換する。そして、ブロックコンバータ回路部１６−２は残りのＵＨＦ２４チャンネルの１チャンネル分をＶＨＦ帯へ変換する。
【００３１】
この変換先のＶＨＦ帯の周波数帯域としては、ＶＨＦ帯以外に１０８〜１７０ＭＨｚのミッドバンド（ＭＩＤ）帯、またはＶＨＦ帯とＵＨＦ帯の隙間のスーパーハイバンド（ＳＨＢ）に周波数変換してもよい。または、ＵＨＦ帯の低い帯域に周波数変換しても良い。
【００３２】
入力端子１２からの地上デジタルテレビジョン放送の高周波信号は、商用交流電源カットフィルタとして機能するコンデンサ３２を介して広帯域アンプ３４に入力され、広帯域アンプ３４で増幅された後に分配されて、ブロックコンバータ回路部１６−１，１６−２の第１バンドパスフィルタ１８−１，１８−２に入力されている。
【００３３】
またブロックコンバータ回路１６−１，１６−２からの出力、即ち広帯域アンプ２４−１，２４−２からの出力は、合成された後に広帯域アンプ３６で増幅され、更に商用交流電源カットフィルタとして機能するコンデンサ３８を介して出力端子１４に与えられている。
【００３４】
また本発明のブロックコンバータ装置１０にあっては、出力端子１４に対する伝送ケーブルの接続で商用交流電源の供給を受けており、出力端子１４側からバイパスして入力端子１２側に商用交流電源を供給するバイパス回路を設けている。即ち、出力端子１４に対し、高周波信号カットフィルタとして機能するインダクタンス４０を介して交流電源バイパスライン４２の一端を接続し、交流電源バイパスライン４２の他端を電圧変換部４４に接続している。
【００３５】
電源変換部４４に対しては、装置自身の電源を作り出す電源回路４６が設けられており、電源回路４６は電圧変換部４４を介して入力した商用交流電源電圧を規定の直流電圧に変換して各回路部に供給している。電圧変換部４４の出力は、電源送りスイッチ４８及び高周波カットフィルタであるインダクタンス５０を介して入力端子１２に接続されている。入力端子１２から出力される電源電圧は、ブロックコンバータ装置１０よりもアンテナ側に設けられるアンプなどに供給される。
【００３６】
電圧変換部４４は出力端子１４から供給された商用交流電源電圧を他の電源電圧に変換する。例えば出力端子１４側からは、商用交流電源電圧としてＡＣ３０ボルトまたはＡＣ６０ボルトが供給される。これに対し入力端子１２側に接続される外部機器の要求する交流電源電圧がＡＣ３０ボルトであったとすると、電圧変換部４４はＡＣ３０ボルトの入力についてはそのままＡＣ３０ボルトを出力し、一方、ＡＣ６０ボルトの入力に対してはこれをＡＣ３０ボルトに変換して出力するように構成している。
【００３７】
このように本発明のブロックコンバータ装置１０自体に、入力端子１２側の機器に供給する交流電源電圧を変換する電圧変換器４４を内蔵したことで、電圧変換器を外部装置として外付けする必要がなく、入力端子１２側の機器に対する電源供給を簡単且つ容易に行うことができる。
【００３８】
ここで、ブロックコンバータ回路部１６−１，１６−２に使用している第１バンドパスフィルタ１８−１，１８−２及び第２バンドパスフィルタ２２−１，２２−２は、各ブロックコンバータ回路部１６−１，１６−２が地上デジタルテレビジョン放送について隣接する複数チャンネルあるいは１チャンネルを含む、間に十分な空チャンネルを介した２つの周波数ブロックに分けてＶＨＦ帯への周波数変換を行っているため、それぞれの周波数ブロックの両側に十分な空チャンネルが存在しており、そのためバンドパスフィルタとして隣接するチャンネルを取り出すために必要な急峻な周波数特性は必要とせず、緩やかな周波数特性で済むことから、例えばＬＣフィルタなどで構成することができ、各バンドパスフィルタは簡単な構成で小型化でき、更にコストも安価に実現できる。
【００３９】
また各バンドパスフィルタはＬＣフィルタであり、急峻な周波数特性は必要としないことから、信号が大幅に減衰されることがなく、それを補完するアンプも少なくてすむため、電力消費量も極めて小さく、例えば２台のブロックコンバータ回路部１６−１，１６−２を装置内に組み込んでいたとしても、本発明のブロックコンバータ装置１０の筐体構造は、例えば図８に示したような多数のチャンネルコンバータの筐体を組み込んだ装置、もしくはチャンネル分の装置を用意してコンバートする場合に比べ大幅に小型化することができる。
【００４０】
次に図１のブロックコンバータ装置１０の動作を図２を使用して説明する。図２（Ａ）（Ｂ）は、ＵＨＦ１３〜１８チャンネルまで連続したチャンネル及びＶＨＦ２４チャンネルと離れた１チャンネルを有する地域の放送を、ＶＨＦのチャンネルＶ１とＶ２の間に２つのブロックコンバータ回路部を使って変換する場合の例である。
【００４１】
ＵＨＦアンテナで受信された地上デジタルテレビジョン放送の高周波信号は入力端子１２に与えられ、コンデンサ３２を通って広帯域アンプ３４で増幅された後、ブロックコンバータ回路部１６−１，１６−２に分配入力される。
【００４２】
ブロックコンバータ回路部１６−１の第１バンドパスフィルタ１８−１は、ＵＨＦ１３〜１８チャンネルの周波数ブロックを取り出す帯域設定が行われており、この周波数帯域について取り出された高周波信号を、ＰＬＬ回路２８−１により制御された発振器２６−１からの発振信号を用いて、周波数変換器２０−１で例えばＶＨＦ帯の未使用チャンネルとなっているチャンネルＶ１とＶ２の間の６チャンネル分の帯域に周波数変換する。続いて第２バンドパスフィルタ２２−１が変換先のＶＨＦ帯の周波数帯域を持つ高周波信号を取り出し、広帯域アンプ２４−１で増幅して出力する。
【００４３】
一方、ブロックコンバータ回路部１６−２にあっては、ＵＨＦの２４チャンネルの1チャンネル分の帯域を周波数ブロックとして第１バンドパスフィルタ１８−２で取り出し、周波数変換器２０−２で発振器２６−２からの発振信号により別のＶＨＦ帯の１チャンネル分の周波数帯域に変換し、第２バンドパスフィルタ２２−２で変換先のＶＨＦ帯の１チャンネルに対応した高周波信号を取り出し、広帯域アンプ２４−２で増幅して出力する。
【００４４】
このようなブロックコンバータ回路部１６−１，１６−２による２つの周波数ブロックについて、ＶＨＦ帯に変換された高周波信号は混合された後に広帯域アンプ３６で増幅され、コンデンサ３８を通って出力端子１４から例えばＶＨＦ帯の伝送にのみ対応しているようなＣＡＴＶに出力される。
【００４５】
一方、出力端子１４側に供給された交流電源電圧は、インダクタンス４０から商用交流電源バイパスライン４２を通って電圧変換部４４に供給され、更に電源回路４６に出力され、装置内部に対する直流電源電圧を供給している。このとき入力端子１２側に電源供給を必要とする他の機器が接続されている場合には、電源送りスイッチ４８をオンすることで、電圧変換部４４からの出力がインダクタンス５０を介して入力端子１２に供給され、外部機器に商用交流電源を供給することができる。
【００４６】
出力端子１４に対する交流電圧が例えばＡＣ６０ボルトであった場合、電圧変換部４４はＡＣ３０ボルトに電圧変換した後に、入力端子１２側に供給するようになる。
【００４７】
なお図１の実施形態にあっては、２つのブロックコンバータ回路部１６−１，１６−２を設けた場合を例にとっているが、受信された地上デジタルテレビジョン放送が例えば多方向受信地域に設置されているような場合には、多数のＵＨＦチャンネルで受信され、この場合には周波数ブロックが２つにとどまらず、３つ以上の周波数ブロックが存在する場合がある。
【００４８】
このような場合には、周波数ブロックの数に応じてブロックコンバータ装置１０に設けるブロックコンバータ回路部の数を増加すればよい。この場合にも、各ブロックコンバータ回路部につき、対応する周波数ブロックの高周波信号を取り出すようにバンドパスフィルタの帯域設定を行うことで簡単に対応できる。
【００４９】
図２（Ｂ）は、３つのブロックコンバータ回路部で周波数コンバートする場合の例である。この例では、ＵＨＦのＤ１とＤ２が離れており、さらに離れてＵＨＦのＤ３〜Ｄ８が連続した地域の場合には、ブロックコンバータ回路部の２つがＵＨＦのＤ１とＤ２のそれぞれを１チャンネル分周波数変換し、さらに３つ目のブロックコンバータ回路部が連続するＵＨＦのＤ３〜Ｄ８をまとめてＶＨＦ帯へブロックコンバートしている。よって、ＵＨＦのＤ１〜Ｄ８をＶＨＦのＶ１〜Ｖ２チャンネルの間に、それぞれの間隔をつめて入れることができる。
【００５０】
また、ブロックコンバータ回路部１６−１，１６−２をそれぞれユニット化して、ブロックコンバータ装置１０はユニット化してブロックコンバータ回路部１６を複数組み込むことができる接続部を用意しておけば、地域に合わせて、１チャンネル用または隣接する複数チャンネル用のブロックコンバータ回路部を適宜選択してブロックコンバータ装置１０へ組み込むことで容易にブロックコンバータ装置１０を構築することができる。
【００５１】
またバンドパスフィルタを後付けにして、チャンネルの周波数に合わせて適宜バンドパスフィルタを選択して装置に組み込むようにしても良い。
【００５２】
図３はＰＬＬ回路を共通化した本発明の他の実施形態の説明図である。図２において、ブロックコンバータ装置１０には、ブロックコンバータ回路部１６−１，１６−２に対応して共通制御部５２が設けられ、共通制御部５２には共通ＰＬＬ回路５４と分周比設定スイッチ３０−１，３０−２が設けられている。
【００５３】
共通ＰＬＬ回路５４は、この例にあっては、２つの分周比設定スイッチ３０−１，３０−２を用いて所望の分周比を設定することで、２つの発振周波数を個別に設定して出力することができる。このため図１のように、別々にＰＬＬ回路２８−１，２８−３及び発振器２６−１，２６−２を設けた場合に比べ、回路構成を簡単にして、更にコストを低減することができる。それ以外の構成は図１の実施形態と同じである。
【００５４】
図４は本発明の他の実施形態を示した回路ブロック図であり、この実施形態にあってはブロックコンバータ回路部単位に自動利得制御を行うようにしたことを特徴とする。
【００５５】
図４において、ブロックコンバータ装置１０に設けられたブロックコンバータ回路部１６−１，１６−２には、それぞれ自動利得制御（オートゲインコントロール，ＡＧＣ）を行う回路部が設けられている。例えばブロックコンバータ回路部１６−１を例にとると、第１バンドパスフィルタ１８−１に続いて広帯域アンプ５６−１が設けられ、続いてＡＧＣ回路５８−１が設けられている。ＡＧＣ回路５８−１の出力は周波数変換器２０−１に与えられ、更にバンドパスフィルタ２２−１、広帯域アンプ２４−１を介して出力されている。
【００５６】
ＡＧＣ回路５８−１は検波回路６０−１と制御回路６２−１で制御される。検波回路６０−１は広帯域アンプ２４−１から出力されたＶＨＦ帯に変換した高周波信号を入力して、例えばこの変換周波数ブロックに含まれる複数チャンネルの高周波信号の合計電力に応じた検波信号を出力し、制御回路６２−１で所定のＡＧＣ制御のための直流電圧をＡＧＣ回路５８−１に出力し、広帯域アンプ５６−１からの高周波信号のレベルを一定レベルに制御している。
【００５７】
このような自動利得制御の構成はブロックコンバータ回路部１６−２についても同様であり、第１バンドパスフィルタ１８−２に続いて広帯域アンプ５６−２を設け、広帯域アンプ５６−２の出力にＡＧＣ回路５８−２を設けている。ＡＧＣ回路５８−２は広帯域アンプ２４−２の出力となる高周波信号を検波回路６０−２で検波し、この検波信号に基づき制御回路６２−２で直流電圧を出力してＡＧＣ回路５８−２を制御して、高周波信号を一定レベルに維持するようにしている。
【００５８】
図５は本発明の他の実施形態を示した回路ブロック図であり、この実施形態にあっては複数のブロックコンバータ回路部全体で自動利得制御を行うようにしたことを特徴とする。
【００５９】
図５において、ブロックコンバータ装置１０に設けられたブロックコンバータ回路部１６−１，１６−２に対する入力端子１２からの分配部分の手前となる広帯域アンプ３４の入力段にＡＧＣ回路５８が設けられ、このＡＧＣ回路５８は、ブロックコンバータ回路部１６−１，１６−２の合成出力を増幅した広帯域アンプ３６の出力段の高周波信号を検波回路６０に入力して合計電力に対応した検波信号を出力し、この検波信号から制御回路６２で直流制御電圧を作り出し、ＡＧＣ回路５８に出力して広帯域アンプ３６からの高周波信号を一定レベルに保つように利得制御している。
【００６０】
この図５の複数のブロックコンバータ回路部全体で自動利得制御を行う場合には、図４の各ブロックコンバータ回路部個別に自動利得制御を行う場合に比べ回路構成が簡単にできる。もちろん図４の各ブロックコンバータ回路部ごとの自動利得制御の方が、より細かい周波数ブロックに分けて自動利得制御を行っていることから、出力の高周波レベルを一定に保つためのＡＧＣ制御の追従性は、より高いものとできる。
【００６１】
図６は本発明の他の実施形態を示した回路ブロック図であり、この実施形態にあってはアナログテレビジョン放送信号の高周波信号を入力し、変換済みの地上デジタルテレビジョン放送信号の高周波信号に混合して出力させるためのアナログ入力端子を設けたことを特徴とする。
【００６２】
図６において、ブロックコンバータ装置１０の基本的な構成は図１の実施形態と同じであり、２台のブロックコンバータ回路部１６−１，１６−２を設けており、入力端子１２からの地上デジタルテレビジョン放送信号の高周波信号を例えば２つの周波数ブロックに分けてＶＨＦ帯に変換した後に合成して出力端子１４から出力している。
【００６３】
これに加え図５の実施形態にあっては、更にアナログ入力端子６４を設けている。アナログ入力端子６４には受信されたアナログテレビジョン放送の高周波信号が入力され、広帯域アンプ３６から出力されるＶＨＦ帯に変換された地上デジタルテレビジョン放送の高周波信号と混合して出力端子１４から出力するようにしている。
【００６４】
アナログ入力端子６４と混合出力を行う出力端子１４との間には、商用交流電源カットフィルタとして機能するコンデンサ６６と、高周波カットフィルタとして機能するインダクタンス６８を並列接続している。
【００６５】
このため、アナログ入力端子６４に入力されたアナログテレビジョン放送の高周波信号は、コンデンサ６６を通って広帯域アンプ３６から出力された地上デジタルテレビジョン放送のＶＨＦ帯に変換した高周波信号と混合された後、出力端子１４から出力される。
【００６６】
一方、出力端子１４に対する商用交流電源信号、例えばＡＣ３０ボルトは、インダクタンス６８を通ってアナログ入力端子６４に供給され、アナログ入力端子６４に接続しているアナログテレビジョン放送のヘッドエンド装置に必要な交流電源の供給を行うことができる。
【００６７】
図７は図６のブロックコンバータ装置１０の設置状態の一例の説明図である。図７において、本発明のブロックコンバータ装置１０は、ＵＨＦアンテナ７０で受信した地上デジタルテレビジョン放送の高周波信号を入力端子１２に対するケーブル接続で入力しており、装置内でＶＨＦ帯に変換した高周波信号を出力端子１４からケーブルを通してＶＨＦ帯に対応したＣＡＴＶシステムに伝送している。
【００６８】
このような本発明のブロックコンバータ装置１０を用いた地上デジタルテレビジョン放送のヘッドエンド機器は、既存のアナログテレビジョン放送の受信を行う設備機器であるアナログ用ヘッドエンド装置７２に追加する設備として設置される。
【００６９】
アナログ用ヘッドエンド装置７２は、ＶＨＦアンテナ７４で受信したアナログテレビジョン放送の高周波信号をケーブル接続によりアナログ入力端子７６に入力し、装置内で所定の信号処理を施した後、アナログ出力端子７８から高周波信号を出力する。アナログ用ヘッドエンド装置７２のアナログ出力端子７８は、本発明によるブロックコンバータ装置１０のアナログ入力端子６４にケーブル接続される。
【００７０】
このような本発明のブロックコンバータ装置１０に対するアナログ用ヘッドエンド装置７２の接続により、本発明によるブロックコンバータ装置１０を設置する前、アナログ用ヘッドエンド装置７２のアナログ出力端子７８に直接接続していたケーブルを外して本発明のブロックコンバータ装置１０を設置接続する際に、高周波信号及び電源供給のために外部に設ける特殊な分配器を必要とすることなく、それまでアナログ用ヘッドエンド装置のアナログ出力端子７８に接続していたケーブルを本発明のブロックコンバータ装置１０の出力端子１４に接続し、両者の間を図示のように相互接続することで、簡単に既設のＶＨＦ帯に対応したアナログテレビジョン放送のＣＡＴＶを、地上デジタルテレビジョン放送に対応したＣＡＴＶに変更することができる。電源供給も、アナログ用ヘッドエンド装置７２をブロックコンバータ装置１０で共有でき、この場合には、別途、それぞれに電源を供給する必要はない。
【００７１】
なお本発明は、その目的と利点を損なうことのない適宜の変形を含み、更に上記の実施形態に示した数値による限定は受けない。
【図面の簡単な説明】
【００７２】
【図１】本発明によるブロックコンバータ装置の実施形態を示した回路ブロック図
【図２】本発明によるブロックコンバータ装置の周波数変換を示す説明図
【図３】ＰＬＬを共通化した本発明の他の実施形態を示した回路ブロック図
【図４】ブロックコンバータ回路部単位に自動利得制御を行う本発明の他の実施形態を示した回路ブロック図
【図５】複数のブロックコンバータ回路部全体で自動利得制御を行う本発明の他の実施形態を示した回路ブロック図
【図６】アナログ入力端子を設けた本発明の他の実施形態を示した回路ブロック図
【図７】図６のブロックコンバータ装置の設置状態の説明図
【図８】従来のチャンネルコンバータを複数使用した装置の説明図
【符号の説明】
【００７３】
１０：ブロックコンバータ装置
１２：入力端子
１４：出力端子
１６−１，１６−２：ブロックコンバータ回路部
１８−１，１８−２：第１バンドパスフィルタ
２０−１，２０−２：周波数変換器
２２−１，２２−２：第２バンドパスフィルタ
２４−１，２４−２，３４，３６，５６−１，５６−２：広帯域アンプ
２６−１，２６−２：発振器
２８−１，２８−２：ＰＬＬ回路
３０−１，３０−２：分周比設定スイッチ
３２，３８，６６：コンデンサ
４０，５０，６８：インダクタンス
４２：交流電源バイパスライン
４４：電圧変換部
４６：電源回路
４８：電源送りスイッチ
５２：共通制御部
５４：共通ＰＬＬ回路
５８，５８−１，５８−２：ＡＧＣ回路
６０，６０−１，６０−２：検波回路
６２，６２−１，６２−２：制御回路
６４，７６：アナログ入力端子
７０：ＵＨＦアンテナ
７２：アナログ用ヘッドエンド装置
７４：ＶＨＦアンテナ
７８：アナログ出力端子
【図１】
2006352237.tif 000003
【図２】
2006352237.tif 000004
【図３】
2006352237.tif 000005
【図４】
2006352237.tif 000006
【図５】
2006352237.tif 000007
【図６】
2006352237.tif 000008
【図７】
2006352237.tif 000009
【図８】
2006352237.tif 000010